(57)【要約】【課題】頭髪の染毛の洗髪を素手のように指先の爪を使えて、奇麗に染毛の洗髪ができるようにすることにある。【解決手段】防水性の手袋１の指先部４に爪状体５を配設するとともに、この爪状体５をブラシ状等の複数の分割状態に形成したものもので、爪状体５のブラシ状に分割した先端部を半球面状としたり、爪状体５を２列で千鳥状に分割して配設することもできる。また、手袋１の指先部の第一関節部の掌側にマッサージ用の突部６を配設することもできる。【選択図】　　　　　　図２
2004081644.tif 000002
【特許請求の範囲】
【請求項１】
防水性の手袋の指先部に爪状体を配設するとともに、この爪状体をブラシ状等の複数の分割状態に形成したことを特徴とする染毛洗髪用等の手袋。
【請求項２】
爪状体のブラシ状に分割した先端部を半球面状等の円滑面とした請求項１に記載の染毛洗髪用等の手袋。
【請求項３】
爪状体を２列で千鳥状のブラシ状に分割して配設した請求項１または２に記載の染毛洗髪用等の手袋。
【請求項４】
爪状体をハート形や花びら状に先端部を分割状態として配設した請求項１に記載の染毛洗髪用等の手袋。
【請求項５】
手袋の指先の第一関節部の掌側にマッサージ用の突部を配設した請求項１ないし４のいずれかに記載の染毛洗髪用等の手袋。
【発明の詳細な説明】
【０００１】
【発明が属する技術分野】
本発明は、美容分野における頭髪等の染毛洗髪用等の手袋に関するものである。
【０００２】
【従来の技術】
近年、頭髪を染めることが流行していて、その染毛には一液用や二液混合用の所要の染毛剤が市販されている。
【０００３】
そして、これらの染毛剤を使用して頭髪の全体染めや部分染めをする場合、染毛剤が手に付着して手が荒れるので、図１のように薄いプラスチックの手袋を装着して染毛作業ができるようになっている。
【０００４】
【発明が解決しようとする課題】
しかし、染毛後の頭髪の素洗いやシャンプーでの洗髪のときには、従来の手袋を装着することによって染毛剤が手に付着せずに手荒れが生じるのを防止できるが、染毛剤が頭部に付着して洗い残しが生じるものであった。
【０００５】
その原因としては、従来の手袋では素手のように手指の爪が十分に使えなく、染毛剤が頭部に残りやすいことが分かった。そのため、素手のように手指の爪を使えて奇麗に染毛の洗髪ができるものが要望されていた。
【０００６】
【課題を解決するための手段】
本発明は、上記のような点に鑑みたもので、上記の課題を解決するために、防水性の手袋の指先部に爪状体を配設するとともに、この爪状体をブラシ状等の複数の分割状態に形成したことを特徴とする染毛洗髪用等の手袋を提供するにある。
【０００７】
【発明の実施の態様】
本発明の染毛洗髪用等の手袋は、防水性の手袋の指先部に爪状体を配設するとともに、この爪状体をブラシ状等の複数の分割状態に形成したことを特徴としている。
【０００８】
染毛洗髪用等の手袋１は、手袋本体２を合成ゴムや天然ゴムの防水性の薄い軟質のシート材で射出成形や型成形等により形成していて、図２（ａ）、（ｂ）に示すようにその各手指部３の指先部４に爪状体５をそれぞれ一体的に装着し、頭髪の染毛後の素洗いやシャンプー等の洗髪を素手のように細かく行なえて染毛剤を頭部に洗い残しが生じないようにしている。
【０００９】
指先部４は、図２、図３のように素手と同じように操作できるように第１関節部の爪部の対応部を上記した合成ゴム材や天然ゴム材に対して０．３〜１ｍｍ厚くしてやや強度を高めるようにして形成して爪状体５を装着していて、特に爪状体５の先端側を指先部４より２〜５ｍｍ程長く突設して２〜５個位に複数に分割してブラシ状やくし歯状、花びら状等とできる。こうすることによって、爪状体５を前後左右斜めに方向性がなく同様に移行でき、頭部をブラッシングしたり、マッサージでき、かつ染毛剤が頭部に洗い残しなく洗髪することができる。
【００１０】
上記手袋１の指先部４の第１関節部分は、手指部に密着し、かつ爪状体５が指先と一体的に操作できるように上記したようにやや分厚くしたり、やや硬質とすることが望ましく、またその掌側に図２（ｂ）、図３のように半球状等の凹凸状の突部６を１〜３ｍｍ程突設して頭部をマッサージできるようにするのが好ましい。
【００１１】
爪状体５は、手爪と同じように折り曲げずに真直ぐに突設するのが好ましく、ナイロンやポリウレタン、ポリアミド、ポリアセタール、ポリカーボネイト等のエンジニアプラスチック等で形成するのが弾力性も強度もあって好ましい。また、図３（ａ）、（ｂ）のように複数に分割したブラシ状爪７の先端部を半球面状等のコーナー部をアール面とした円滑面とするのが、頭部を傷つけなくて、ブラッシング作用やマッサージ作用を生じやすくできて好ましい。
【００１２】
この爪状体５のブラシ状爪７は、０．５〜２ｍｍ厚さで、１〜５ｍｍ間隔とすることができ、図３（ｂ）のように外側に凸状のやや弧状の一列状に３〜５本位に配設するのが好ましいが、図４（ａ）、（ｂ）のように千鳥状の２列の配列とすることもできる。２列とすると、頭部に比較的ソフトに当接して頭皮を傷めずに洗髪することができて好ましい。
【００１３】
また、図５（ａ）、（ｂ）のように爪状体５の先端を２つや３つの側周面にアールを付けて弧状の分割状態としたハート状や花びら状として、模様や着色などのネイルアートを施してファッショナブルな形状とすることもできる。
【００１４】
また、上記した指先部４の掌側の突部６としては、各指先部４に１個ずつでもよいが、図２（ｂ）や図６（ａ）、（ｂ）、（ｃ）のように縦１列や横１列、十字状等の適宣の配列とすることができて、上記した爪状体５で頭部をブラッシングしなくて、指先部４を伸ばして指先部４の掌側でブラッシングしたり、マッサージするようにできる。また、ドライヤーを使用するときにも、滑らずに把握できるので好ましい。
【００１５】
上記突部６は、第１関節部に突設するのが好ましいが、図２（ｂ）のように第２関節や第３関節部にも突設でき、さらに親指部、小指部はやや先端側よりもやや下方側に突設するのがマッサージしやすいものである。
【００１６】
以上いろいろな態様について説明したが、さらに二酸化チタンの微粒子をウレタン系樹脂溶液やシリコーン系樹脂溶液の被覆溶液中に分散させた被覆材を上記した爪状体５部の表面に吹き付けて熱溶着したり、蒸着処理して被覆することもできる。こうすると、蛍光灯等の照光下の作業で二酸化チタンの光触媒効果による脱臭、防汚、抗菌、殺菌作用によって洗髪を衛生的に処理するようにできて好ましく、また爪状体５を衛生的に使用するようにできる。
【００１７】
また、電気石といわれるトルマリンの微粉末を配合した被覆材を爪状体５の表面に被覆することができ、この場合洗髪時にトルマリンによるマイナスイオン発生によって頭部の血行改善、殺菌効果、脱臭効果が得られる。なお、二酸化チタンとトルマリンとを併合して被覆することもできる。
【００１８】
なお、上記した手袋１は、装着性が良いように内側に木綿や不織布等の布材を貼付するのが好ましく、また手元部８をできるだけ長くして装着できるようにするのが、染毛剤で手や服等を汚さないようにできて好ましいが、装着容易で作業性が良いように適宣の長さにすることができる。
【００１９】
また、図２のように着脱が簡単にできるように手首部８にダーツ９を設けたり、挿入口部１０にやや長い切り込み部を設けたりしてベルベットファスナーのような締着具を取着することもできる。またさらに、挿入口部１０に吊り下げ孔１１を設けて、簡単に吊り下げられるようにすることもできる。
【００２０】
さらに、図７のように手首より先側の各指先部分に一括して装着するようにもでき、こうすることによって洗髪時でなく、少し白髪が発生したり、部分的に修正する場合などに簡単に装着して手を汚さずに容易に染毛の修正等をするようにできる。
【００２１】
またさらに、図８のように指サック状に形成した指手袋のもので、所要の指先部４に装着して簡単かつ迅速に部分的な修正等を行なえるようにしたものである。
【００２２】
なお、上記した手袋は、付爪の人にも着用可能であり、人の頭髪の染毛洗髪用に好ましいが、一般家庭や美容院、理髪店、介護用などでの洗髪、その他にも利用することができる。さらに、ペット等の洗髪用等にも利用できる。
【００２３】
【実施例】
図２、図３は本発明の一実施例を示すものである。染毛洗髪用の左右一対の手袋１は、その手袋本体２を薄いブチルゴムの天然ゴムシート材でそれぞれ形成していて、各手指部３の第１関節部分の指先部４を０．５ｍｍに分厚くするとともに、その外側部に硬質のナイロン材の１ｍｍの厚さの爪状体５をそれぞれ各指先部４との間に鋭角の凹所がないように手袋本体２と一体的に成形し、各指先部４の第１関節部の掌側に小さな三角の頂点部にナイロン材で１ｍｍ径の半球面状の突部６を、第２関節部に縦状に２個の突部６をそれぞれ一体的に突設している。
【００２４】
そして、上記爪状体５は、それぞれ図２のようにほぼ１ｍｍ間隔で５分割した断面が１ｍｍ径程のブラシ状爪７とし、図３（ａ）、（ｂ）のように指先部４から３ｍｍ程突き出して先端部を半球面状の円滑面としている。また、手袋１の手首部８には、３条のダーツ９を設け、挿入口部１０に吊り下げ孔１１を設け、内側に不織布１２を貼着している。
【００２５】
染毛剤をブラシ等を介して頭髪を染毛して図１のように洗髪するときに、上記した手袋１を両手にはめて、シャワーヘッドからすすぎ湯を適量噴射しながら通常のように洗髪していく。その際、手袋１に爪状体５を配設しているため、素手のように頭皮部まで爪状体５を当接して洗髪できる。特に、爪状体５を分割してブラシ状爪７としているので、手袋１を装着しているにもかかわらず、どの方向にも万遍なく移行してブラシや、くしのようにブラッシングやマッサージができ、気持ちよく洗髪することができて、染毛剤を頭皮部に洗い残すことなく掻き落とすことができる。。また、ブラシ状爪７の先端部を半球面状としているので、頭皮を傷つけず、滑らかにかつ迅速に洗髪処理することができる。さらに、爪状体５と各指先部４との間に鋭角の凹所がないため、汚れを洗い落としやすいものである。
【００２６】
また、指部４の第１関節を伸ばすと、ブラシ状爪７を頭部に当たらなくできて、指先部４の突部６で頭部をブラッシングやマッサージすることができ、ブラシ状爪７と突部６とを使い分けして多様に洗髪処理することができるものである。そして、手袋１を装着したまま滑ることなくドライヤーを使用して乾燥することができる。
【００２７】
図４（ａ）、（ｂ）は、それぞれ本発明の他の実施例を示すものである。本実施例にあっては、上記した爪状体５のブラシ状爪７を三角形の頂点状や二列の千鳥状に配設したもので、上記した効果のほか爪状体５を小ブラシのようにブラッシングができて洗髪できるものである。
【００２８】
図５（ａ）、（ｂ）は、それぞれ本発明のさらに他の実施例で、爪状体５の先端を２つや３つの弧状の分割状態としたハート状や花びら状としたものである。上記のようなブラシ状のものでなく、このようなファッショナブルな形状とすることもでき、必要により所要の模様や色彩を施すこともできる。
【００２９】
また、図６（ａ）、（ｂ）、（ｃ）は、本発明のさらに他の実施例を示すもので、指先部４の突部６を縦１列状や横１列状や十字状のように配設したもので、指先部４で心地よくマッサージできるようにしたものである。
【００３０】
また、図７は、本発明のさらに他の実施例を示すもので、上記のような手袋１を指先部４側に装着するようにでき、少し白髪が発生したり、部分的に修正する場合などに簡単に装着して手を汚さずに容易に染毛の修正等をするようにできる。
【００３１】
またさらに、図８のように指サック状に形成して所要の指先部４に装着し、部分的な修正等を行なうようにできるものである。
【００３２】
なお、上記した各爪状体５に二酸化チタンの微粒子または／およびトルマリンの微粉末を配合した被覆材を被覆すると、上記したように光触媒効果による脱臭、防汚、抗菌、殺菌作用や、マイナスイオン発生による頭部の血行改善、殺菌効果、脱臭効果が得られてより好ましい。
【００３３】
このように、本発明についていろいろな実施例を挙げて説明したが、上記した本発明の趣旨にもとづいてその他の適宜の変形態様も実施することができる。
【００３４】
【発明の効果】
以上のように本発明にあっては、防水性の手袋の指先部に爪状体を配設したので、頭髪等を染毛して洗髪するときに手袋を装着して染毛剤による手荒れを防止できるとともに、手袋を装着していても爪状体によって素手と同じように頭皮まで掻くようにして洗髪することができて、染毛剤の洗い残しがないようにできる。
【００３５】
そして、この爪状体をブラシ状等に複数の分割状態に形成したので、ブラシ等のようにブラッシング作用やマッサージ作用を生じながら洗髪処理することができる。
【００３６】
また、爪状体のブラシ状に分割した先端部を半球面状等の円滑面とすることによって、頭部を傷つけなく、かつブラッシング作用やマッサージ作用を生じるようにできる。
【００３７】
また、爪状体を２列で千鳥状のブラシ状に分割して配設することによって、頭部に比較的ソフトに当接してブラッシングやマッサージをすることができて頭皮を傷めずに洗髪することができる。
【００３８】
さらに、爪状体をハート形や花びら状に先端部を分割状態とすることによって、爪を突設した手袋をファッショナブルにすることができる。
【００３９】
またさらに、手袋の指先の第１関節部の掌側にマッサージ用の突部を配設することによって、上記した爪状体で頭部をブラッシングしなくても、指先部を伸ばして指先部の掌側の突部でブラッシングしたり、マッサージするようにできる。
【図面の簡単な説明】
【図１】頭髪染毛の洗髪説明図、
【図２】本発明の手袋の正面図（ａ）と背面図（ｂ）、
【図３】同上の手袋の指先部の側断面図（ａ）と爪先部の側面図（ｂ）、
【図４】同上の指先部のブラシ状爪のそれぞれ他の実施例の断面図（ａ）、（ｂ）、
【図５】同上の爪状体部のそれぞれ他の実施例の正面図（ａ）、（ｂ）、
【図６】同上の指先部の掌側部の突部のそれぞれ他の配列説明図（ａ）、（ｂ）、（ｃ）、
【図７】同上のさらに他の実施例の手袋の正面図、
【図８】同上のさらに他の実施例の手袋の指サック状の正面図。
【符号の説明】
１…手袋　　　　２…手袋本体　　　３…手指部　　　４…指先部
５…爪状体　　　６…突部　　　　　７…ブラシ状爪
【図１】
2004081644.tif 000003
【図２】
2004081644.tif 000004
【図３】
2004081644.tif 000005
【図４】
2004081644.tif 000006
【図５】
2004081644.tif 000007
【図６】
2004081644.tif 000008
【図７】
2004081644.tif 000009
【図８】
2004081644.tif 000010